(57)【要約】【目的】建物室内の例えば押入形成用空間部を利用して簡単に施工できて、手軽に布団を乾燥できる室内布団乾燥設備を提供する。【解決手段】建物室内に乾燥室１１を設け、この乾燥室１１に、収納位置とその前方へ引き出される引出位置との間でスライド可能な可動台枠１２を設け、この可動台枠１２上に、布団を掛ける衝立状の乾燥機本体１▲１▼、１▲２▼，１▲３▼を直立状態で前後に間隔をおいて配設する。【選択図】        図２
2004313411.tif 000002
【特許請求の範囲】
【請求項１】
建物室内に、開閉可能な前面部と左右側面部と背面部と床面部とで形成される乾燥室を設け、この乾燥室に、床面上の収納位置と前面部からその前方へ引き出される引出位置との間でスライド可能な可動台枠を設け、この可動台枠上に、布団を掛ける衝立状の乾燥機本体を直立状態で前後に間隔をおいて複数個配設し、各乾燥機本体は、本体フレームと、この本体フレームの前後側面側に夫々貼着された面状発熱シートと、各面状発熱シートの表面に被着された表面保護材とによって構成してなる室内布団乾燥設備。
【請求項２】
可動台枠上に配置される複数個の乾燥機本体のうち、最前部の乾燥機本体を可動台枠に固定し、他の乾燥機本体を前後方向移動可能に可動台枠に取り付けてなる請求項１に記載の室内布団乾燥設備。
【請求項３】
可動乾燥機本体は、可動台枠の上面から浮かせた状態で乾燥機本体の左右各端面上端部と可動台枠との間に介装した伸縮スライドレールによって前後に移動可能としてなる請求項１又は２に記載の室内布団乾燥設備。
【請求項４】
可動台枠は、少なくとも台板と左右両側壁板とによって形成し、台板下面に滑り部材を設けると共に、左右各側壁板の外側面上端部と乾燥室の左右各側面部との間に伸縮スライドレールを介装してなる請求項１〜３の何れかに記載の室内布団乾燥設備。
【発明の詳細な説明】
【０００１】
【発明の属する技術分野】
本発明は、室内布団乾燥設備に関するものである。
【０００２】
【従来の技術及びその課題】
布団の乾燥は、従来よりベランダなどでの所謂天日干しによって行なわれているが、このような天日干しによる布団の乾燥は、天気の良い日に限られ、また押入れからベランダ等まで布団を運ぶのに労作業を要するといった不都合がある。
そこで、天気に関係なく必要な時に手軽に布団を乾燥できる布団専用の乾燥設備の出現が望まれるが、未だそのような布団乾燥設備は提供されていない。
【０００３】
本発明は、上記の課題に鑑み、建物室内の例えば押入形成用空間部を利用して簡単に施工できて、手軽に布団を乾燥できる室内布団乾燥設備を提供することを目的とする。
【０００４】
【課題を解決するための手段】
請求項１に係る発明の室内布団乾燥設備は、建物室内に、開閉可能な前面部ｆと左右側面部ａ，ｅと背面部ｃと床面部ｇとで形成される乾燥室１１を設け、この乾燥室１１に、床面部ｇ上の収納位置と前面部からその前方へ引き出される引出位置との間でスライド可能な可動台枠１２を設け、この可動台枠１２上に、布団Ｆを掛ける衝立状の乾燥機本体１を直立状態で前後に間隔をおいて複数個配設し、各乾燥機本体１は、本体フレーム２と、この本体フレーム２の前後側面側に夫々貼着された面状発熱シート３，３と、各面状発熱シート３の表面に被着された表面保護材４とによって構成してなることを特徴とする。
【０００５】
請求項２は、請求項１に記載の室内布団乾燥設備において、可動台枠１２上に配置される複数個の乾燥機本体１のうち、最前部の乾燥機本体１を可動台枠１２に固定し、他の乾燥機本体１を前後方向移動可能に可動台枠１２に取り付けてなるとを特徴とする。
【０００６】
請求項３は、請求項２に記載の室内布団乾燥設備において、可動乾燥機本体１▲２▼，１▲３▼は、可動台枠１２の上面から浮かせた状態で乾燥機本体１の左右各端面上端部と可動台枠１２との間に介装した伸縮スライドレール６によって前後に移動可能としてなることを特徴とする。
【０００７】
請求項４は、請求項１〜３の何れかに記載の室内布団乾燥設備において、可動台枠１２は、少なくとも台板１３と左右両側壁板１４，１４とによって形成し、台板１３下面に滑り部材７を設けると共に、左右各側壁板１４の外側面上端部と乾燥室１１の左右各側面部ａ，ｅとの間に伸縮スライドレール８を介装してなることを特徴とする。
【０００８】
【発明の実施の形態】
図１は本発明に係る室内布団乾燥設備の一実施形態の正面図、図２は図１のイ−イ線断面図、図３は図１のロ−ロ線拡大断面図である。図４は図３と同様な断面図であるが、可動台枠を前方へ引き出した状態を示す。図５の（ａ）は図３のハ−ハ線断面図、同図の（ｂ）は（ａ）のニ−ニ線断面図である。図６の（ａ）は可動乾燥機本体の拡大断面図、（ｂ）は固定乾燥機本体の拡大断面図で、その一部分のみを示す。図７図は図１のホ−ホ線拡大断面図である。
【０００９】
この室内布団乾燥設備は、建物室内の押入形成用空間部Ｓを利用して形成されたものである。この空間部Ｓには、図３に示すように、内周壁面に沿って木製のユニット壁ａ，ｂ，ｃ，ｄが配設されると共に、中間部にはユニット壁ｂ側に寄った位置に耐力壁ｅが配設され、前面入口部ｆに開閉可能な折戸２４が設けられている。尚、ｈ及びｉは天井壁であり、天井壁ｈには点検口２５が設けてある。
ユニット壁ａ（左側面部）と耐力壁ｅ（右側面部）とユニット壁ｃ（背面部）と天井壁ｈ（天井部）と折戸２４で開閉可能な前面入口部ｆと床面部ｇとによって乾燥室１１が形成される。
【００１０】
乾燥室１１には、図３に示すように床面部ｇ上にある収納位置と、図４に示すように前面入口部ｆから前方へ引き出される引出位置との間でスライド可能な可動台枠１２が設けられている。この可動台枠１２は、台板１３と、この台板１３上の左右両端部に立設された左右側壁板１４，１４と、図２に示すように台板１３の後端部に立設された丈の低い布団押え後板１５と、台板１３の前端部に立設された同様に丈の低い布団押え前板１６とによって構成される。
【００１１】
可動台枠１２の台板１３上には、布団を掛けるための衝立状の乾燥機本体１が複数個、例えば３つ直立状態で前後に間隔をおいて配置される。３つの乾燥機本体１のうち、最前部の乾燥機本体１は、可動台枠１２に固定された固定乾燥機本体１▲１▼とされ、他の２つの乾燥機本体１，１は前後方向移動可能に可動台枠１２に取り付けられた可動乾燥機本体１▲２▼，１▲３▼とされる。また図２に示すように、左右側壁板１４の内面側後端部には、布団乾燥時に布団Ｆから発せられる悪臭を除去する脱臭ボックス２６が設けられ、このボックス２５内に脱臭剤が収納されていている。
【００１２】
ここで、乾燥機本体１の構造について説明すると、この乾燥機本体１は、図５及び図６に示すように、木製の本体フレーム２と、この本体フレーム２の前後側面側に夫々貼着された面状発熱シート３，３と、各面状発熱シート３の表面に被着された表面保護材４とからなる。本体フレーム２は、板状の下枠２ａと、断面縦長矩形状で上端部が半円形状の上枠２ｂと、上下両枠２ａ，２ｂをつなぐ複数の骨材２ｃと、上両下枠２ａ，２ｂ間の夫々前後側面に配設される前後側板２ｄ，２ｄと、左右両端部の小口塞ぎ板２ｅ，２ｅとによって、上端部が丸く且つ上端部から下端部に亘って厚さが漸次厚くなるような衝立状に形成されたもので、この本体フレーム２の前後側板２ｄ，２ｄに面状発熱シート３，３が貼着されるようになっている。また、本体フレーム２の前後側板２ｄ，２ｄの夫々裏面には骨材２ｃの取付部分を除いてウレタン等の断熱材２ｆが貼着されている。
【００１３】
面状発熱シート３は、詳細な構造の図示は省略するが、ポリエステルフィルムに半導体化したチタン酸バリウム系セラミックよりなる特殊インクを印刷した発熱層、絶縁層などで構成されるＰＴＣ特性を有する自己温度制御可能なＰＴＣ面状発熱体からなる、厚さが例えば０．５ｍｍ程度の超薄型フィルムヒーターである。また、この面状発熱シート３の表面を保護する表面保護材４は、例えば０．５ｍｍ程度の着色鋼板からなるもので、接着剤によって面状発熱シート３の表面に貼着されている。この表面保護材４は、またアルミ樹脂化粧パネルによって形成してもよい。この化粧パネルは、厚さが例えば１．７ｍｍ程度のプラスチックフィルムを芯材として、その表裏面に０．１５ｍｍ程度のアルミニウムフィルムを積層した商品名アルチャンプ又はアルポリック（三菱化学産資株式会社製）のものが好ましい。これらの表面保護材４は、面状発熱シート３の表面を保護するだけでなく、本体フレーム２を補強する機能も有する。
【００１４】
また、面状発熱シート３の電極に接続された接続端子（図示省略）が各乾燥機本体１に設けられており、そしてこの接続端子に接続されて、電源の入切操作、タイマーによる通電の時間設定、さらには乾燥機本体１の温度設定などを行なう操作部２１，２２，２３が可動台枠１２の布団押え前板１６に装備されている。
尚、操作部２１は固定乾燥機本体１▲１▼に対応するものであり、操作部２１，２２は可動乾燥機本体１▲２▼，１▲３▼に夫々対応するものである。また、上記接続端子は電源接続コードを介して建物内の電源に接続されるようになっている。
【００１５】
可動台枠１２上の最前部にある固定乾燥機本体１▲１▼は、図２、図４及び図５に示すように、本体フレーム２の下枠２ａの板厚が可動乾燥機本体１▲２▼，１▲３▼のそれより厚く形成されていて、この厚板状下枠２ａを可動台枠１２の台板１３上に載置させると共に、本体フレーム２の左右端面を可動台枠１２の左右側壁板１４，１４に当接させた状態で、可動台枠１２に固定されている。また、各可動乾燥機本体１▲２▼，１▲３▼は、図２に示すように可動台枠１２の上面から若干浮かせた状態で、図３及び図４に示すように乾燥機本体１の左右各端面上端部と可動台枠１２の左右各側壁板１４との間に介装した伸縮スライドレール６によって前後に移動できるようになっている。
【００１６】
可動台枠１２は、前記のように台板１３、左右側壁板１４，１４、布団押え後板１５及び布団押え前板１６とから構成されたもので、図２、図４及び図５に示すように、台板１３下面の左右前後に夫々滑り部材７が設けられていると共に、左右側壁板１４，１４の夫々外側面上端部と、乾燥室１１のユニット壁ａ及び耐力壁ｅとの間に伸縮スライドレール８，８が夫々介装され、それによって図３に示すような収納位置と、図４に示すように前面入口部ｆから前方へ引き出された引出位置との間でスムーズに且つ安定良くスライドできるようになっている。なお、滑り部材７としては車輪が好ましいが、それ以外に安価に製作できる摩擦抵抗の低いナイロン等の樹脂片であってもよい。
【００１７】
乾燥室１１には、図１、図２及び図７に示すように、乾燥機本体１▲１▼，１▲２▼，１▲３▼の上側に隣接した位置に木製の簀の子状棚１７が設けられている。尚、図５及び図７において、１８は押入形成用空間部Ｓ内の右側に乾燥室１１と隣接して形成される物置で、ここには棚１９が複数段に設けられている。また２０は乾燥室１１と物置１８とを仕切るユニット壁ｂの上下部に設けられた通気用開口部である。
【００１８】
上記のように構成される室内布団乾燥設備を使用して布団Ｆを乾燥する時は、先ず、折戸２１を開放し、図３に示すような収納位置にある可動台枠１２を前方へ引き出して、図４に示すような引出位置にセットする。こうして引き出した可動台枠１２上にある３つの乾燥機本体１▲１▼，１▲２▼，１▲３▼に夫々布団Ｆを掛ける。
この布団掛けにあたっては、最後部の乾燥機本体１▲１▼から順に布団Ｆを掛けていくとよい。この際、最前部の乾燥機本体１が固定乾燥機本体１▲１▼であり、他の２つの乾燥機本体１が可動乾燥機本体１▲２▼，１▲３▼であるため、後側の可動乾燥機本体１▲２▼，１▲３▼を手前側へ移動させておけば、布団掛け作業が一層し易くなる。
【００１９】
可動台枠１２上の３つの乾燥機本体１▲１▼，１▲２▼，１▲３▼に夫々布団Ｆを掛け終えたならば、可動乾燥機本体１▲２▼，１▲３▼を後方へ適宜に移動させて乾燥機本体１▲１▼，１▲２▼，１▲３▼相互間に適当な間隔をもたせる。しかる後、可動台枠１２を後方へ押して乾燥室１１内の収納位置にセットし、そして可動台枠１２の布団押え前板１６に設けてある乾燥機本体１▲１▼，１▲２▼，１▲３▼の操作部２１，２２，２３でタイマーによる時間設定を行い、押しボタンスイッチを押して通電することにより、各乾燥機本体１の面状発熱シート３が電源につながり、布団Ｆの乾燥が開始される。この場合、各乾燥機本体１の設定温度（乾燥機本体１の表面、即ち表面保護材６の温度）を例えば７０℃、設定時間を例えば６０分とする。この布団Ｆの乾燥中は、折戸２４を引っ張って乾燥室１１の前面入口部ｆを閉めておく。
【００２０】
この布団乾燥機の乾燥機本体１は、前述したＰＴＣ特性を有する自己温度制御可能なＰＴＣ面状発熱体からなる面状発熱シート３を有するから、通電すると、素早く昇温し、設定温度に達した後は、自ら温度を制御・維持する機能によってその設定温度に維持される。例えば、通電を開始して１５分で設定温度の７０℃に達した後、残りの４５分間その設定温度の７０℃に維持される。このように面状発熱シート３により表面が加熱される乾燥機本体１に掛けられた布団Ｆを、一定時間経過する間に十分に乾燥させることができる。
【００２１】
各乾燥機本体１による布団Ｆの乾燥が終了すれば、可動台枠１２を収納位置から前方へ引き出して、その引出位置で可動台枠１２上の乾燥機本体１▲１▼，１▲２▼，１▲３▼に夫々掛かっている布団Ｆを降ろして、押入に運び入れる。この布団降ろしに際しても、前記のように最前部の乾燥機本体１が固定乾燥機本体１▲１▼であり、他の後側の乾燥機本体１が可動乾燥機本体１▲２▼，１▲３▼であるから、先ず最前部の固定乾燥機本体１▲１▼に掛かっている布団Ｆを降ろした後、後側の可動乾燥機本体１▲２▼，１▲３▼を手前側へ移動させることによって、布団Ｆの降ろし作業が迅速且つ容易に行なえる。
【００２２】
以上説明したような室内布団乾燥設備によれば、建物室内の例えば押入用空間部を利用して密閉可能な乾燥室１１を形成し、この乾燥室１１に衝立状の乾燥機本体１を複数直立状態で前後に間隔をおいて配設し、これらの乾燥機本体１▲１▼，１▲２▼，１▲３▼に夫々布団Ｆを掛けて布団Ｆを乾燥するようにしたものであるから、密閉状の乾燥室１１内で複数の布団Ｆを有効に乾燥させることができる。また、この室内布団乾燥設備は、構造が非常に簡単で、部品点数も少ないから、製作が容易で安価に提供することが可能であって、家庭用の布団乾燥設備としてきわめて有用である。
【００２３】
また、この室内布団乾燥設備では、複数の乾燥機本体１を乾燥室１１内に単に配設するのではなく、この乾燥室１１には床面部ｇ上の収納位置と前面入口部ｆから前方へ引き出される引出位置との間でスライド可能な可動台枠１２を設け、この可動台枠１２上に乾燥機本体１を並設しているので、布団Ｆを乾燥するにあたり乾燥機本体１に布団Ｆを掛ける際には、可動台枠１２を乾燥室１１から外へ引き出すことによって、布団掛けを容易に行うことができる。これは、乾燥を終えた後、布団Ｆを乾燥機本体１から降ろす時も同様である。
【００２４】
また、乾燥室１１には、乾燥機本体１の上側に隣接した位置に簀の子状の棚１７が設けられているから、この簀の子状棚１７に布団Ｆやその他の寝具などを載せておけば、下方の乾燥機本体１からの熱気によってそれらを乾燥させることができる。可動台枠１２には脱臭ボックス２６が設けてあるから、布団乾燥時に布団Ｆから発せられる悪臭を除去することができる。
【００２５】
以上説明した本発明の室内布団乾燥設備は、建物の新設時だけでなく、既設の建物の押入、納戸、物置などを改造して簡単容易に施工することができる。
【００２６】
【発明の効果】
請求項１に係る室内布団乾燥設備によれば、建物室内の押入などの空間部を利用して簡単容易に施工できるもので、その空間部内に乾燥室を形成し、この乾燥室に衝立状の乾燥機本体を複数直立状態で前後に間隔をおいて配設し、これらの乾燥機本体にそれぞれ布団を掛けて布団を乾燥するようにしたものであるから、密閉状の乾燥室内で複数の布団を有効に乾燥させることができる。
【００２７】
また、この室内布団乾燥設備では、複数の乾燥機本体を乾燥室内に単に配設するのではなく、床面上の収納位置とその前方へ引き出される引出位置の間でスライド可能な可動台枠を設け、この可動台枠上に乾燥機本体を並設しているので、布団の乾燥にあたって乾燥機本体に布団を掛ける際には、可動台枠を乾燥室から外へ引き出すことによって、布団掛けを容易に行うことができ、また乾燥を終えた後に布団を乾燥機本体から降ろす時も、その布団降ろしが容易となる。更に、この室内布団乾燥設備は、構造が簡単で、部品点数も少ないから、製作が容易で安価に提供することが可能であって、家庭用の布団乾燥設備としてきわめて有用である。
【００２８】
請求項２に係る室内布団乾燥設備によれば、可動台枠上に配置される複数個の乾燥機本体のうち、最前部の乾燥機本体を可動台枠に固定し、他の乾燥機本体を前後方向移動可能に可動台枠に取り付けているから、可動台枠を引出位置に引き出して布団掛けを行なう時には、後側の可動乾燥機本体を手前側へ移動させることによって布団掛け作業が一層し易くなり、また布団降ろし時には、最前部の固定乾燥機本体に掛かっている布団を降ろした後、後側の可動乾燥機本体を手前側へ移動させることによって、布団降ろし作業が一層迅速容易に行なえる。
【００２９】
請求項３に係る室内布団乾燥設備によれば、可動乾燥機本体は、可動台枠の上面から浮かせた状態で乾燥機本体の左右各端面上端部と可動台枠との間に介装した伸縮スライドレールによって前後に移動可能としているから、乾燥機本体の左右各端面上端部のみに設けた伸縮スライドレールだけで、可動乾燥機本体を軽くスムーズに前後移動させることができると共に、移動機構が簡単となって製作コストを安くすることができる。
【００３０】
請求項４に係る室内布団乾燥設備によれば、可動台枠は、少なくとも台板と左右両側壁板とによって形成し、台板下面に滑り部材を設けると共に、左右各側壁板の外側面上端部と乾燥室の左右各側面部との間に伸縮スライドレールを介装しているため、可動台枠を、収納位置と引出位置との間でスムーズに安定良くスライドさせることができると共に、可動台枠の移動機構が簡単となってその製作コストを安くすることができる。
【図面の簡単な説明】
【図１】本発明に係る室内布団乾燥設備の一実施形態の正面図である。
【図２】図１のイ−イ線断面図である。
【図３】図１のロ−ロ線拡大断面図である。
【図４】図３と同様な断面図であるが、可動台枠を前方へ引き出した状態を示す。
【図５】（ａ）は図３のハ−ハ線断面図、（ｂ）は（ａ）のニ−ニ線断面図である。
【図６】（ａ）は可動乾燥機本体の拡大断面図、（ｂ）は固定乾燥機本体の拡大断面図で、その一部分のみを示す。
【図７】図１のホ−ホ線拡大断面図である。
【符号の説明】
Ｆ            布団
１            乾燥機本体
１▲１▼          最前部の固定乾燥機本体
１▲２▼，１▲３▼    可動乾燥機本体
２            本体フレーム
３            面状発熱シート
４            表面保護材
６            伸縮スライドレール
７            滑り部材
８            伸縮スライドレール
１１          乾燥室
１２          可動台枠
１３          台板
１４          左右両側壁板
【図１】
2004313411.tif 000003
【図２】
2004313411.tif 000004
【図３】
2004313411.tif 000005
【図４】
2004313411.tif 000006
【図５】
2004313411.tif 000007
【図６】
2004313411.tif 000008
【図７】
2004313411.tif 000009